(57)【特許請求の範囲】
【請求項１】
内部にジャンクションボックスを収容できる空間と側壁にコネクタ挿通孔を備えた、上部開口を有するシールドケースと、前記収容空間に収容されたジャンクションボックスと、前記コネクタ挿通孔に設けられた外部接続用高圧コネクタと、前記シールドケースの前記上部開口を塞ぐケースカバーと、前記外部接続用高圧コネクタに嵌合される相手側コネクタと、を備えた電気接続箱であって、
（ａ）前記ジャンクションボックス側にジャンクションボックス側インターロックコネクタと前記ケースカバー側にケースカバー側インターロックコネクタとを設け、前記ケースカバーが前記シールドケースに装着されている状態でのみ前記ケースカバー側インターロックコネクタと前記ジャンクションボックス側インターロックコネクタとが嵌合して前記ジャンクションボックス内に電流が流れ、
（ｂ）前記外部接続用高圧コネクタと前記相手側コネクタとの嵌合状態をロックするコネクタロック部を前記相手側コネクタのハウジングの水平方向一側の側壁に嵌合・離脱方向にスライド可能に設け、前記コネクタロック部が前記嵌合・離脱方向の嵌合側に押し込まれたロック位置にあるときに前記外部接続用高圧コネクタと前記相手側コネクタとの嵌合を解除不能とし、前記コネクタロック部が前記ロック位置から前記嵌合・離脱方向の離脱側にスライドさせたときにのみ前記外部接続用高圧コネクタと前記相手側コネクタとの嵌合を解除可能とし、
（ｃ）前記コネクタロック部へのアクセスを邪魔する第１邪魔板を前記ケースカバーに設け、前記第１邪魔板は、前記ケースカバーの端部から延出して成る長尺状延出部から前記嵌合・離脱方向及び上下方向に平行に下方に向けて延びる平板であり、前記第１邪魔板は、前記ケースカバーが前記シールドケースに装着され、且つ、前記コネクタロック部が前記ロック位置にある状態にて、前記コネクタロック部の前記水平方向一側の側方を覆うように配置されたことを特徴とする電気接続箱。
【請求項２】
内部にジャンクションボックスを収容できる空間と側壁にコネクタ挿通孔を備えた、上部開口を有するシールドケースと、前記収容空間に収容されたジャンクションボックスと、前記コネクタ挿通孔に設けられた外部接続用高圧コネクタと、前記シールドケースの前記上部開口を塞ぐケースカバーと、前記外部接続用高圧コネクタに嵌合される相手側コネクタと、を備えた電気接続箱であって、
（ａ）前記ジャンクションボックス側にジャンクションボックス側インターロックコネクタと前記ケースカバー側にケースカバー側インターロックコネクタとを設け、前記ケースカバーが前記シールドケースに装着されている状態でのみ前記ケースカバー側インターロックコネクタと前記ジャンクションボックス側インターロックコネクタとが嵌合して前記ジャンクションボックス内に電流が流れ、
（ｂ）前記外部接続用高圧コネクタと前記相手側コネクタとの嵌合状態をロックするコネクタロック部を前記相手側コネクタのハウジングの水平方向一側の側壁に嵌合・離脱方向にスライド可能に設け、前記コネクタロック部が前記嵌合・離脱方向の嵌合側に押し込まれたロック位置にあるときに前記外部接続用高圧コネクタと前記相手側コネクタとの嵌合を解除不能とし、前記コネクタロック部が前記ロック位置から前記嵌合・離脱方向の離脱側にスライドさせたときにのみ前記外部接続用高圧コネクタと前記相手側コネクタとの嵌合を解除可能とし、
（ｃ）前記コネクタロック部のスライドを邪魔する第２邪魔板を前記ケースカバーに設け、前記第２邪魔板は、前記ケースカバーの端部から延出して成る長尺状延出部から前記嵌合・離脱方向と垂直に下方に向けて延びる平板であり、前記第２邪魔板は、前記ケースカバーが前記シールドケースに装着され、且つ、前記コネクタロック部が前記ロック位置にある状態にて、前記コネクタロック部の前記嵌合・離脱方向の離脱側の端部を覆うように配置されたことを特徴とする電気接続箱。
【請求項３】
前記各邪魔板は前記長尺状延出部の先端に一体に形成されていることを特徴とする請求項１または２記載の電気接続箱。
【発明の詳細な説明】
【技術分野】
【０００１】
本発明は、リレーやヒューズなどの電気部品を装着する電気接続箱に関し、特に、安全性の向上を図った電気接続箱に関する。
【背景技術】
【０００２】
ハイブリッド車を含む電気自動車には、バッテリとインバータなどを相互に電気的に接続するために、従来から電気接続箱が搭載されてきた（特許文献１参照）。
本発明が対象としている電気接続箱は、シールドケースと、シールドケース内に収容されるジャンクションボックスと、ジャンクションボックスに備えられるヒューズやリレーなどの電気部品を外部のバッテリやインバータなどの電子機器と電気接続するワイヤハーネスと、シールドケースの上部開口を塞ぐケースカバーを備えている。
【０００３】
〈従来の電気接続箱〉  
図１２は従来の電気接続箱の分解斜視図である。
図１２において、従来の電気接続箱１’は、シールドケース１０と、シールドケース１０内に収容されるジャンクションボックス２０と、ジャンクションボックス２０に設けられるヒューズやリレーなどの電気部品を外部のバッテリとインバータなどの電子機器を電気的接続するワイヤハーネス３０と、シールドケース１０の上部開口を塞ぐケースカバー４０’とから成っている。
【０００４】
〈シールドケース１０〉
シールドケース１０は立方体状をした金属製の箱で、内部に大きな収容空間があり、この収容空間にジャンクションボックス２０が収納される。シールドケース１０の一側壁に３つのコネクタ挿通孔１０Ｓ１、１０Ｓ２、１０Ｓ３と、これと対向する側壁にコネクタ挿通孔１０Ｓ４が設けられ、さらに底部にはボルト締結用ボス１０Ｂが立設されている。
【０００５】
〈ジャンクションボックス２０〉
ジャンクションボックス２０（図１２）は、ヒューズやリレーなどの電気部品、およびこれらの電気部品に給電するコネクタ等を装着している。
ジャンクションボックス２０をシールドケース１０の内部空間に収容し、固定するためにボルト孔２０Ｂが３箇所に設けられており、このボルト孔２０Ｂがボルト締結用ボス１０Ｂの上に重ねられ、ボルトＢをねじ込むことで両者が締結される。
さらに、ジャンクションボックス２０には、後述するジャンクションボックス側インタロックコネクタ２０Ｌが隅部に１個設けられている。
【０００６】
〈ワイヤハーネス３０〉  
ワイヤハーネス３０は、４個のワイヤハーネス３１、３２、３３、３４から成る。
各ワイヤハーネス３１、３２、３３、３４は、それぞれジャンクションボックス２０内のコネクタと接続されるためのコネクタ３１Ｃ、３２Ｃ、３３Ｃ、３４Ｃと、各コネクタ３１Ｃ、３２Ｃ、３３Ｃ、３４Ｃに接続された各電線３１Ｗ、３２Ｗ、３３Ｗ、３４Ｗと、各電線３１Ｗ、３２Ｗ、３３Ｗ、３４Ｗに接続された外部接続用高圧コネクタ３１Ｓ、３２Ｓ、３３Ｓ、３４Ｓとから構成されている。特に、コネクタ３１Ｃ、３２Ｃ、３３Ｃはオス側高圧コネクタである。
【０００７】
〈ケースカバー４０’〉  
ケースカバー４０’は、シールドケース１０の上部開口を塞ぐ金属製薄板で、シールドケース１０の上部外周とほぼ同じ形状をしており、周囲にある複数のネジ孔４０ＮにネジＮを通してシールドケース１０のネジ孔１０Ｎに固定される。
さらに、ケースカバー４０’の裏側（シールドケース側）には、ケースカバー側インタロックコネクタ４０Ｌが、前述のジャンクションボックス側インタロックコネクタ２０Ｌに対向する部位に１個設けられている。
【０００８】
《インタロックコネクタ２０Ｌと４０Ｌの機能》
ケースカバー４０’がシールドケース１０に装着されると、ジャンクションボックス側インタロックコネクタ２０Ｌとケースカバー側インタロックコネクタ４０Ｌは嵌合するようになり、ジャンクションボックス側インタロックコネクタ２０Ｌとケースカバー側インタロックコネクタ４０Ｌが嵌合した状態でのみジャンクションボックス２０内に電流が流れるようになる。
この機能は、例えば、ジャンクションボックス側インタロックコネクタ２０Ｌとケースカバー側インタロックコネクタ４０Ｌとのそれぞれに金属接触端子を備えており、それぞれの金属接触端子が接触すると検知電流が流れるようにしておく。一方、ワイヤハーネスに流れる電流を入り切りするための常開接点をワイヤハーネス電流主回路中に設けておき、検知電流が流れるとその常開接点が閉じてワイヤハーネスに電流が流れ、逆に、検知電流が流れなくなると常開接点が開いてワイヤハーネスに電流が流れなくなる。
このようにしておくと、シールドケース１０にケースカバー４０’が装着されるとジャンクションボックス側インタロックコネクタ２０Ｌとケースカバー側インタロックコネクタ４０Ｌが嵌合するので、それぞれの金属接触端子が接触して検知電流が流れて常開接点が閉じ、ジャンクションボックス２０内に電流が流れるが、シールドケース１０からケースカバー４０’を外すとジャンクションボックス側インタロックコネクタ２０Ｌとケースカバー側インタロックコネクタ４０Ｌが離脱するので、金属接触端子が非接触となり、検知電流が流なくなるため常開接点が開き、ジャンクションボックス２０内に電流が流れなくなる。
【０００９】
〈メス側高圧コネクタ５０〉  
メス側高圧コネクタ５０を構成する各メス側高圧コネクタ５１、５２、５３は、ワイヤハーネス３１、３２、３３のオス側高圧コネクタコネクタ３１Ｓ、３２Ｓ、３３Ｓと嵌合する。各メス側高圧コネクタ５１、５２、５３には次のようなコネクタロック部５１Ｒ、５２Ｒ、５３Ｒが備わっている。
【００１０】
《コネクタロック部５１Ｒ、５２Ｒ、５３Ｒ》  
コネクタロック部５１Ｒ、５２Ｒ、５３Ｒは、メス側高圧コネクタ５１、５２、５３のハウジング５１Ｈ、５２Ｈ、５３Ｈ内のコネクタ嵌合部近傍にスライド可能に設けられた長尺部材であり、コネクタロック部５１Ｒ、５２Ｒ、５３Ｒがハウジング５１Ｈ、５２Ｈ、５３Ｈ内に押し込まれた状態では、メス側高圧コネクタ５１、５２、５３はオス側高圧コネクタコネクタ３１Ｓ、３２Ｓ、３３Ｓから外すことができなくなっており、コネクタロック部５１Ｒ、５２Ｒ、５３Ｒがハウジング５１Ｈ、５２Ｈ、５３Ｈから引き出された状態ではじめてメス側高圧コネクタ５１、５２、５３はオス側高圧コネクタコネクタ３１Ｓ、３２Ｓ、３３Ｓから取り外すことができるようになっている。
このようにメス側高圧コネクタ５１、５２、５３とオス側高圧コネクタコネクタ３１Ｓ、３２Ｓ、３３Ｓの嵌合はワンアクションでは外れないようになっており、コネクタロック部５１Ｒ、５２Ｒ、５３Ｒをハウジング５１Ｈ、５２Ｈ、５３Ｈから前方にスライドさせる動作がなされてようやくメス側高圧コネクタ５１、５２、５３をオス側高圧コネクタコネクタ３１Ｓ、３２Ｓ、３３Ｓから取り外すことができる。
【００１１】
〈従来の電気接続箱１’の安全性〉
図１４は図１３のシールドケースを図１３のケースカバーで覆った従来の電気接続箱の斜視図である。図１４において、シールドケース１０にはケースカバー４０’が装着された従来の電気接続箱１’を示している。図１４の電気接続箱１’においては、シールドケース１０にケースカバー４０’が装着されているので、ジャンクションボックス側インタロックコネクタ２０Ｌ（図１３）とケースカバー側インタロックコネクタ４０Ｌ（図１３）が嵌合しており、ジャンクションボックス２０内には電流が流れることが可能となる。
また、コネクタロック部５１Ｒ、５２Ｒ、５３Ｒは、ハウジング５１Ｈ、５２Ｈ、５３Ｈ内に押し込まれた状態にあるので、図１４の状態ではメス側高圧コネクタ５１、５２、５３はオス側高圧コネクタコネクタ３１Ｓ、３２Ｓ、３３Ｓから外れなくなっており、電気接続箱１’の安全性が保たれている。
【００１２】
〈従来の電気接続箱１’の問題点〉
ところが、ハウジング５１Ｈ、５２Ｈ、５３Ｈ内に押し込まれた状態にあるコネクタロック部５１Ｒ、５２Ｒ、５３Ｒを摘んで前方にスライドさせることは、いつでも可能なので、図１４の状態の電気接続箱１’において、コネクタロック部５１Ｒ、５２Ｒ、５３Ｒを前方にスライドさせることは可能であり、そうするとシールドケース１０にケースカバー４０’が装着されたまま（すなわち、ジャンクションボックス側インタロックコネクタ２０Ｌとケースカバー側インタロックコネクタ４０Ｌが嵌合したまま）なのでジャンクションボックス２０内に電流が流れた状態で、メス側高圧コネクタ５１、５２、５３をオス側高圧コネクタコネクタ３１Ｓ、３２Ｓ、３３Ｓから外すことができてしまうという問題があった。
【先行技術文献】
【特許文献】
【００１３】
【特許文献１】特開２００５−１６８２１８号公報
【発明の概要】
【発明が解決しようとする課題】
【００１４】
〈本発明の課題〉
本発明は、上記問題点を解決するためになされたもので、ジャンクションボックス内に電流が流れているときはコネクタロック部が動けないようにして、メス側高圧コネクタとオス側高圧コネクタコネクタとの嵌合を離脱できないようにした電気接続箱を提供することを目的としている。
【課題を解決するための手段】
【００１５】
上記課題を解決するために、本発明に係る電気接続箱（１）〜（３）は次のことを特徴としている。
（１）内部にジャンクションボックスを収容できる空間と側壁にコネクタ挿通孔を備えた、上部開口を有するシールドケースと、前記収容空間に収容されたジャンクションボックスと、前記コネクタ挿通孔に設けられた外部接続用高圧コネクタと、前記シールドケースの前記上部開口を塞ぐケースカバーと、前記外部接続用高圧コネクタに嵌合される相手側コネクタと、を備えた電気接続箱であって、
（ａ）前記ジャンクションボックス側にジャンクションボックス側インターロックコネクタと前記ケースカバー側にケースカバー側インターロックコネクタとを設け、前記ケースカバーが前記シールドケースに装着されている状態でのみ前記ケースカバー側インターロックコネクタと前記ジャンクションボックス側インターロックコネクタとが嵌合して前記ジャンクションボックス内に電流が流れ、
（ｂ）前記外部接続用高圧コネクタと前記相手側コネクタとの嵌合状態をロックするコネクタロック部を前記相手側コネクタのハウジングの水平方向一側の側壁に嵌合・離脱方向にスライド可能に設け、前記コネクタロック部が前記嵌合・離脱方向の嵌合側に押し込まれたロック位置にあるときに前記外部接続用高圧コネクタと前記相手側コネクタとの嵌合を解除不能とし、前記コネクタロック部が前記ロック位置から前記嵌合・離脱方向の離脱側にスライドさせたときにのみ前記外部接続用高圧コネクタと前記相手側コネクタとの嵌合を解除可能とし、
（ｃ）前記コネクタロック部へのアクセスを邪魔する第１邪魔板を前記ケースカバーに設け、前記第１邪魔板は、前記ケースカバーの端部から延出して成る長尺状延出部から前記嵌合・離脱方向及び上下方向に平行に下方に向けて延びる平板であり、前記第１邪魔板は、前記ケースカバーが前記シールドケースに装着され、且つ、前記コネクタロック部が前記ロック位置にある状態にて、前記コネクタロック部の前記水平方向一側の側方を覆うように配置されたこと。
（２）内部にジャンクションボックスを収容できる空間と側壁にコネクタ挿通孔を備えた、上部開口を有するシールドケースと、前記収容空間に収容されたジャンクションボックスと、前記コネクタ挿通孔に設けられた外部接続用高圧コネクタと、前記シールドケースの前記上部開口を塞ぐケースカバーと、前記外部接続用高圧コネクタに嵌合される相手側コネクタと、を備えた電気接続箱であって、
（ａ）前記ジャンクションボックス側にジャンクションボックス側インターロックコネクタと前記ケースカバー側にケースカバー側インターロックコネクタとを設け、前記ケースカバーが前記シールドケースに装着されている状態でのみ前記ケースカバー側インターロックコネクタと前記ジャンクションボックス側インターロックコネクタとが嵌合して前記ジャンクションボックス内に電流が流れ、
（ｂ）前記外部接続用高圧コネクタと前記相手側コネクタとの嵌合状態をロックするコネクタロック部を前記相手側コネクタのハウジングの水平方向一側の側壁に嵌合・離脱方向にスライド可能に設け、前記コネクタロック部が前記嵌合・離脱方向の嵌合側に押し込まれたロック位置にあるときに前記外部接続用高圧コネクタと前記相手側コネクタとの嵌合を解除不能とし、前記コネクタロック部が前記ロック位置から前記嵌合・離脱方向の離脱側にスライドさせたときにのみ前記外部接続用高圧コネクタと前記相手側コネクタとの嵌合を解除可能とし、
（ｃ）前記コネクタロック部のスライドを邪魔する第２邪魔板を前記ケースカバーに設け、前記第２邪魔板は、前記ケースカバーの端部から延出して成る長尺状延出部から前記嵌合・離脱方向と垂直に下方に向けて延びる平板であり、前記第２邪魔板は、前記ケースカバーが前記シールドケースに装着され、且つ、前記コネクタロック部が前記ロック位置にある状態にて、前記コネクタロック部の前記嵌合・離脱方向の離脱側の端部を覆うように配置されたこと。
（３）前記各邪魔板は、上記（１）または（２）記載の電気接続箱において、前記長尺状延出部の先端に一体に形成されていること。
【発明の効果】
【００１６】
上記発明によれば、ジャンクションボックス内に電流が流れているときはケースカバーがシールドケースに装着されているので、ケースカバーの邪魔板がコネクタロック部へのアクセスまたはコネクタロック部のスライドを邪魔しているため、コネクタロック部がスライドできず、したがって、メス側高圧コネクタとオス側高圧コネクタコネクタとの嵌合を離脱することができない。これによって、電流が流れている状態でメス側高圧コネクタとオス側高圧コネクタコネクタを外すことがなくなり、安全性が確保される。
【図面の簡単な説明】
【００１７】
【図１】図１は本発明の第１実施形態に係る電気接続箱の分解斜視図である。
【図２】図２はジャンクションボックスとワイヤハーネスを収容したシールドケースと、このシールドケースを覆う第１実施形態に係るケースカバーとを離した状態で示す斜視図である。
【図３】図３は図２のシールドケースを図２のケースカバーで覆った完成品としての電気接続箱の斜視図である。
【図４】図４はコネクタロックが分かるように図３の電気接続箱をより正面側から見た斜視図である。
【図５】図５は図４の電気接続箱の正面図である。
【図６】図６（Ａ）は第１実施形態に係るケースカバーの作用を説明する側面図で、図６（Ｂ）は図６（Ａ）矩形部分の拡大図である。
【図７】図７は本発明の第２実施形態に係る電気接続箱の分解斜視図である。
【図８】図８はジャンクションボックスとワイヤハーネスを収容したシールドケースと、このシールドケースを覆う第２実施形態に係るケースカバーとを離した状態で示す斜視図である。
【図９】図９は図８のシールドケースを図８のケースカバーで覆った完成品としての電気接続箱の斜視図である。
【図１０】図１０は図９の電気接続箱の正面図である。
【図１１】図１１（Ａ）は第２実施形態に係るケースカバーの作用を説明する側面図で、図１１（Ｂ）は図１１（Ａ）矩形部分の拡大図である。
【図１２】図１２は従来の電気接続箱の分解斜視図である。
【図１３】図１３はジャンクションボックスとワイヤハーネスを収容したシールドケースと、このシールドケースを覆う従来のケースカバーとを離した状態で示す斜視図である。
【図１４】図１４は図１３のシールドケースを図１３のケースカバーで覆った従来の電気接続箱の斜視図である。
【発明を実施するための形態】
【００１８】
ジャンクションボックス内に電流が流れているときはメス側高圧コネクタとオス側高圧コネクタコネクタとの嵌合を離脱することができないようにした本発明に係る電気接続箱について、その第１実施形態を図１〜図６に基づいて説明し、第２実施形態については図７〜図１１に基づいてそれぞれ説明する。
【００１９】
〈本発明の第１実施形態〉  
図１は本発明の第１実施形態に係る電気接続箱の分解斜視図である。
図１において、本発明の第１実施形態に係る電気接続箱１Ａは、シールドケース１０と、シールドケース１０内に収容されるジャンクションボックス２０と、ジャンクションボックス２０に設けられるヒューズやリレーなどの電気部品を外部のバッテリとインバータなどの電子機器を電気的接続するワイヤハーネス３０と、シールドケース１０の上部開口を塞ぐ本発明に係るケースカバー４０Ａとから成っている。
【００２０】
〈シールドケース１０〉
シールドケース１０は立方体状をした金属製の箱で、内部に大きな収容空間があり、この収容空間にジャンクションボックス２０が収納される。シールドケース１０の一側壁に３つのコネクタ挿通孔１０Ｓ１、１０Ｓ２、１０Ｓ３と、これと対向する側壁にコネクタ挿通孔１０Ｓ４が設けられ、さらに底部にはボルト締結用ボス１０Ｂが立設されている。
【００２１】
〈ジャンクションボックス２０〉
ジャンクションボックス２０は、ヒューズやリレーなどの電気部品、およびこれらの電気部品に給電するコネクタ等を装着している。
ジャンクションボックス２０をシールドケース１０の内部空間に収容し、固定するためにボルト孔２０Ｂが３箇所に設けられており、このボルト孔２０Ｂがボルト締結用ボス１０Ｂの上に重ねられ、ボルトＢをねじ込むことで両者が締結される。
さらに、ジャンクションボックス２０には、後述するジャンクションボックス側インタロックコネクタ２０Ｌが隅部に１個設けられている。
【００２２】
〈ワイヤハーネス３０〉  
ワイヤハーネス３０は、４個のワイヤハーネス３１、３２、３３、３４から成る。
各ワイヤハーネス３１、３２、３３、３４は、それぞれジャンクションボックス２０内のコネクタと接続されるためのコネクタ３１Ｃ、３２Ｃ、３３Ｃ、３４Ｃと、各コネクタ３１Ｃ、３２Ｃ、３３Ｃ、３４Ｃに接続された各電線３１Ｗ、３２Ｗ、３３Ｗ、３４Ｗと、各電線３１Ｗ、３２Ｗ、３３Ｗ、３４Ｗに接続された外部接続用高圧コネクタ３１Ｓ、３２Ｓ、３３Ｓ、３４Ｓとから構成されている。特に、３１Ｓ、３２Ｓ、３３Ｓはオス側高圧コネクタである。
【００２３】
〈第１実施形態に係るケースカバー４０Ａ〉  
第１実施形態に係るケースカバー４０Ａは、シールドケース１０の上部開口を塞ぐ金属製薄板で、シールドケース１０の上部外周とほぼ同じ形状をしており、周囲にある複数のネジ孔４０ＮにネジＮを通してシールドケース１０のネジ孔１０Ｎに固定される。
さらに、ケースカバー４０Ａの裏側（シールドケース側）には、ケースカバー側インタロックコネクタ４０Ｌが、前述のジャンクションボックス側インタロックコネクタ２０Ｌに対向する部位に１個設けられている。ジャンクションボックス側インタロックコネクタ２０Ｌとケースカバー側インタロックコネクタ４０Ｌの機能は次のとおりである。
【００２４】
《インタロックコネクタ２０Ｌと４０Ｌの機能》
ケースカバー４０Ａがシールドケース１０に装着されると、ジャンクションボックス側インタロックコネクタ２０Ｌとケースカバー側インタロックコネクタ４０Ｌは嵌合するようになり、ジャンクションボックス側インタロックコネクタ２０Ｌとケースカバー側インタロックコネクタ４０Ｌが嵌合した状態でのみジャンクションボックス２０内に電流が流れるようになる。
この機能は、例えば、ジャンクションボックス側インタロックコネクタ２０Ｌとケースカバー側インタロックコネクタ４０Ｌとのそれぞれに金属接触端子を備えて、それぞれの金属接触端子が互いに接触すると検知電流が流れるようにしておく。一方、ワイヤハーネスに流れる電流を入り切りするための常開接点をワイヤハーネス電流回路中に設けておき、検知電流が流れるとその常開接点が閉じてワイヤハーネスに電流が流れ、逆に、検知電流が流れなくなると常開接点が開いてワイヤハーネスに電流が流れなくなるようにしている。
このようにしておくと、シールドケース１０にケースカバー４０Ａが装着されるとジャンクションボックス側インタロックコネクタ２０Ｌとケースカバー側インタロックコネクタ４０Ｌが嵌合するので、それぞれの金属接触端子が接触して検知電流が流れて常開接点が閉じ、ジャンクションボックス２０内に電流が流れる。また、シールドケース１０からケースカバー４０Ａを外すとジャンクションボックス側インタロックコネクタ２０Ｌとケースカバー側インタロックコネクタ４０Ｌが離脱するので、金属接触端子が非接触となり、検知電流が流れなくなるため常開接点が開き、ジャンクションボックス２０内に電流が流れなくなる。以上の構成は従来のケースカバー４０’（図１２）と同じである。
第１実施形態に係るケースカバー４０Ａが従来のケースカバー４０’と異なるのは、ケースカバー４０Ａには、コネクタロック部５１Ｒ、５２Ｒ、５３Ｒへのアクセスを邪魔する第１邪魔板４０Ｖ１、４０Ｖ２、４０Ｖ３が、ケースカバー４０Ａの端部４０Ｅから延出して成る長尺状延出部４０Ｐの先端側部を下方に曲折して形成されている点である。
第１邪魔板４０Ｖ１、４０Ｖ２、４０Ｖ３については、後述する。
【００２５】
〈メス側高圧コネクタ５０〉  
メス側高圧コネクタ５０を構成する各メス側高圧コネクタ５１、５２、５３は、ワイヤハーネス３１、３２、３３のオス側高圧コネクタコネクタ３１Ｓ、３２Ｓ、３３Ｓと嵌合する。各メス側高圧コネクタ５１、５２、５３には次のようなコネクタロック部５１Ｒ、５２Ｒ、５３Ｒが備わっている。
【００２６】
《コネクタロック部５１Ｒ、５２Ｒ、５３Ｒ》
図２はジャンクションボックスとワイヤハーネスを収容したシールドケースと、このシールドケースを覆う第１実施形態に係るケースカバーとを離した状態で示す斜視図である。
図２において、コネクタロック部５１Ｒ、５２Ｒ、５３Ｒは、メス側高圧コネクタ５１、５２、５３のハウジング５１Ｈ、５２Ｈ、５３Ｈ内のコネクタ嵌合部近傍にスライド可能に設けられた長尺部材であり、コネクタロック部５１Ｒ、５２Ｒ、５３Ｒがハウジング５１Ｈ、５２Ｈ、５３Ｈ内に押し込まれた状態では、メス側高圧コネクタ５１、５２、５３はオス側高圧コネクタコネクタ３１Ｓ、３２Ｓ、３３Ｓから外すことができなくなっており、コネクタロック部５１Ｒ、５２Ｒ、５３Ｒがハウジング５１Ｈ、５２Ｈ、５３Ｈから引き出された状態ではじめてメス側高圧コネクタ５１、５２、５３はオス側高圧コネクタコネクタ３１Ｓ、３２Ｓ、３３Ｓから取り外すことができるようになっている。
このようにメス側高圧コネクタ５１、５２、５３とオス側高圧コネクタコネクタ３１Ｓ、３２Ｓ、３３Ｓの嵌合はワンアクションでは外れないようになっており、コネクタロック部５１Ｒ、５２Ｒ、５３Ｒをハウジング５１Ｈ、５２Ｈ、５３Ｈから前方にスライドさせる動作がなされて、ようやくメス側高圧コネクタ５１、５２、５３をオス側高圧コネクタコネクタ３１Ｓ、３２Ｓ、３３Ｓから取り外すことができる。
【００２７】
《第１邪魔板４０Ｖ１、４０Ｖ２、４０Ｖ３の形状》
第１実施形態に係るケースカバー４０Ａは略矩形をしており、嵌合方向前方側（図２で左手前側）の辺４０Ｅから所定の長さＬ１だけ前方に平坦に延びる長尺状の平坦延出部４０Ｐがあり、この平坦延出部４０Ｐの前方側方から下方に向けて３個の第１邪魔板４０Ｖ１、４０Ｖ２、４０Ｖ３が曲折して形成されている。３個の第１邪魔板４０Ｖ１、４０Ｖ２、４０Ｖ３の間隔は、コネクタロック部５１Ｒ、５２Ｒ、５３Ｒの間隔と一致している。所定の長さＬ１は、ケースカバー４０Ａがシールドケース１０に装着された図３の状態で、第１邪魔板４０Ｖ１、４０Ｖ２、４０Ｖ３の下方先端がコネクタロック部５１Ｒ、５２Ｒ、５３Ｒの側方を塞ぐ長さである。
【００２８】
《第１邪魔板４０Ｖ１、４０Ｖ２、４０Ｖ３の機能》
図３は図２のシールドケースを第１実施形態に係るケースカバーで覆った完成品としての電気接続箱の斜視図、図４はコネクタロックが分かるように図３の電気接続箱をより正面側から見た斜視図、図５は図３および図４の電気接続箱の正面図である。
３個の第１邪魔板４０Ｖ１、４０Ｖ２、４０Ｖ３の下方へ延びる長さＬ２は、ケースカバー４０Ａがシールドケース１０に装着された図３の状態で、第１邪魔板４０Ｖ１、４０Ｖ２、４０Ｖ３の下方先端がコネクタロック部５１Ｒ、５２Ｒ、５３Ｒの側方かそれよりも若干下方まで達する長さである。
そこで、第１実施形態に係るケースカバー４０Ａがシールドケース１０に装着されると、図３〜図５から判るように、ケースカバー４０Ａに延出された３個の第１邪魔板４０Ｖ１、４０Ｖ２、４０Ｖ３の下方先端がそれぞれコネクタロック部５１Ｒ１、５２Ｒ、５３Ｒの側方を塞いだ状態になる。
したがって、例えばコネクタロック部５３Ｒを手で摘んで前方にスライドさせようとしても、第１邪魔板４０Ｖ３が邪魔になってコネクタロック部５３Ｒを摘むことができない。
【００２９】
《第１邪魔板４０Ｖ１、４０Ｖ２、４０Ｖ３の機能の具体的説明》
図６（Ａ）は第１実施形態に係るケースカバーの上記機能を説明する側面図で、図６（Ｂ）は図６（Ａ）矩形部分の拡大図である。シールドケース１０にケースカバー４０Ａが装着されると、ケースカバー４０Ａに延出された３個の第１邪魔板４０Ｖ１、４０Ｖ２、４０Ｖ３の下方先端は、図６のように、コネクタロック部５１Ｒ１、５２Ｒ、５３Ｒの側方を塞いだ状態（図６はコネクタロック部５３Ｒの例で示してる。）になっている。したがって、コネクタロック部５３Ｒを摘んで矢印方向にスライドさせようとしても、第１邪魔板４０Ｖ３が邪魔になってコネクタロック部５３Ｒをそもそも摘むことすらできない。
したがって、電流が流れている（シールドケース１０にケースカバー４０Ａが装着されている）状態でメス側高圧コネクタ５３をオス側高圧コネクタコネクタ３３Ｓから取り外すことができないため、安全が確保されている。
メス側高圧コネクタ５３をオス側高圧コネクタコネクタ３３Ｓから取り外すことができるようになるのは、第１邪魔板４０Ｖ３がコネクタロック部５３Ｒの側方を覆わなくなったとき、すなわちシールドケース１０からケースカバー４０Ａが外されたときであり、これはとりもなおさず、ジャンクションボックス側インタロックコネクタ２０Ｌ（図２）とケースカバー側インタロックコネクタ４０Ｌ（図２）が離脱しているので、電流が流れなくなっており、これにより安全性が確保される。
【００３０】
〈変形例〉
第１邪魔板４０Ｖ１、４０Ｖ２、４０Ｖ３はケースカバー４０Ａの金属板と一体に打ち抜き成形して製作したが、もちろん別部品として作って、後でケースカバー４０Ａに取り付けて一体にしてもよい。
【００３１】
〈本発明の第２実施形態〉  
図７は本発明の第２実施形態に係る電気接続箱の分解斜視図である。
図７において、本発明の第２実施形態に係る電気接続箱１Ｂは、シールドケース１０と、シールドケース１０内に収容されるジャンクションボックス２０と、ジャンクションボックス２０に設けられるヒューズやリレーなどの電気部品を外部のバッテリとインバータなどの電子機器を電気的接続するワイヤハーネス３０と、シールドケース１０の上部開口を塞ぐ本発明に係るケースカバー４０Ｂとから成っている。
シールドケース１０、ジャンクションボックス２０、ワイヤハーネス３０、ジャンクションボックス側インタロックコネクタ２０Ｌとケースカバー側インタロックコネクタ４０Ｌの機能、メス側高圧コネクタ５０、コネクタロック部５１Ｒ、５２Ｒ、５３Ｒは、第１実施形態と同じなので、説明は割愛する。
【００３２】
〈第２実施形態に係るケースカバー４０Ｂ〉  
第１実施形態に係るケースカバー４０Ａと第２実施形態に係るケースカバー４０Ｂが異なるのは、長尺状延出部の先端から下方に曲折する下方先端の曲折位置である。
【００３３】
《第２邪魔板４０Ｒ１、４０Ｒ２、４０Ｒ３の形状》
第２実施形態に係るケースカバー４０Ｂは略矩形をしており、嵌合方向前方側（図８で左手前側）の辺４０Ｅから所定の長さＬ１だけ前方に平坦に延びる長尺状の平坦延出部４０Ｐがあり、この平坦延出部４０Ｐの前方から下方に向けて３個の第２邪魔板４０Ｒ１、４０Ｒ２、４０Ｒ３が曲折して形成されている。一方、第１実施形態では平坦延出部４０Ｐの側方から下方に向けて形成されていた。
３個の第２邪魔板４０Ｒ１、４０Ｒ２、４０Ｒ３の間隔は、コネクタロック部５１Ｒ、５２Ｒ、５３Ｒの間隔と一致している。所定の長さＬ１は、ケースカバー４０Ｂがシールドケース１０に装着された図９の状態で、第２邪魔板４０Ｒ１、４０Ｒ２、４０Ｒ３の下方先端がコネクタロック部５１Ｒ、５２Ｒ、５３Ｒの直前を塞ぐ長さである。
【００３４】
《第２邪魔板４０Ｒ１、４０Ｒ２、４０Ｒ３の機能》
図９は図８のシールドケースを第２実施形態に係るケースカバーで覆った完成品としての電気接続箱の斜視図、図１０は図９の電気接続箱の正面図である。
３個の第２邪魔板４０Ｒ１、４０Ｒ２、４０Ｒ３の下方へ延びる長さＬ２は、ケースカバー４０Ｂがシールドケース１０に装着された図９の状態で、第２邪魔板４０Ｒ１、４０Ｒ２、４０Ｒ３の下方先端がコネクタロック部５１Ｒ、５２Ｒ、５３Ｒのスライドする位置かそれよりも若干下方まで達する長さである。
そこで、第２実施形態に係るケースカバー４０Ｂがシールドケース１０に装着されると、図９および図１０から判るように、ケースカバー４０Ｂに延出された３個の第２邪魔板４０Ｒ１、４０Ｒ２、４０Ｒ３の下方先端がコネクタロック部５１Ｒ、５２Ｒ、５３Ｒの直前を塞いだ状態になる。したがって、コネクタロック部５３Ｒを摘んで図で手前にスライドさせようとしても、第２邪魔板４０Ｒ３が邪魔になってコネクタロック部５３Ｒスライドさせることができない。
【００３５】
《第２邪魔板４０Ｒ１、４０Ｒ２、４０Ｒ３の機能の具体的説明》
図１１（Ａ）は第２実施形態に係るケースカバーの上記機能を説明する側面図で、図１１（Ｂ）は図１１（Ａ）矩形部分の拡大図である。シールドケース１０にケースカバー４０Ｂが装着されると、ケースカバー４０Ｂに延出された３個の第２邪魔板４０Ｒ１、４０Ｒ２、４０Ｒ３の下方先端は、図１１のように、コネクタロック部５１Ｒ、５２Ｒ、５３Ｒの直前を塞いだ状態（図１１はコネクタロック部５３Ｒの例で示してる。）になっている。したがって、コネクタロック部５３Ｒを摘んで矢印方向にスライドさせようとしても、第２邪魔板４０Ｒ３が邪魔になってコネクタロック部５３Ｒを矢印方向にスライドさせることができない。したがって、電流が流れている（シールドケース１０にケースカバー４０Ｂが装着されている）状態でメス側高圧コネクタ５３をオス側高圧コネクタコネクタ３３Ｓから取り外すことができないため、安全が確保されている。
したがって、メス側高圧コネクタ５３をオス側高圧コネクタコネクタ３３Ｓから取り外すことができるようになるのは、第２邪魔板４０Ｒ３がコネクタロック部５３Ｒの前方を覆わなくなったとき、すなわちシールドケース１０からケースカバー４０Ｂが外されたときであり、これはとりもなおさず、ジャンクションボックス側インタロックコネクタ２０Ｌ（図８）とケースカバー側インタロックコネクタ４０Ｌ（図８）が離脱したときなので、電流が流れなくなっており、これにより安全性が確保される。
【００３６】
〈変形例〉
第２邪魔板４０Ｒ１、４０Ｒ２、４０Ｒ３はケースカバー４０Ｂの金属板と一体に打ち抜き成形して製作したが、もちろん別部品として作って、後でケースカバー４０Ｂに取り付けて一体にしてもよい。
【００３７】
〈まとめ〉
上記のように、本発明によれば、ケースカバーがシールドケースに装着されるとケースカバーの邪魔板がコネクタロック部の動きを邪魔するため、メス側高圧コネクタとオス側高圧コネクタとの嵌合を離脱することができない。これによって、電流が流れている状態でメス側高圧コネクタとオス側高圧コネクタコネクタを外すことがなくなり、安全性が確保される。
【符号の説明】
【００３８】
１Ａ  第１実施形態に係る電気接続箱
１Ｂ  第１実施形態に係る電気接続箱
１０  シールドケース
１０Ｂ  ボルト締結用ボス
１０Ｓ１、１０Ｓ２、１０Ｓ３、１０Ｓ４  コネクタ挿通孔
２０  ジャンクションボックス
２０Ｌ  ジャンクションボックス側インタロックコネクタ
３０、３１、３２、３３、３４  ワイヤハーネス
３１Ｓ、３２Ｓ、３３Ｓ、３４Ｓ  外部接続用高圧コネクタ（オス側高圧コネクタ）
３１Ｃ、３２Ｃ、３３Ｃ、３４Ｃ  ワイヤハーネス側コネクタ
３１Ｗ、３２Ｗ、３３Ｗ、３４Ｗ  電線
４０Ａ  第１実施形態に係るケースカバー
４０Ｂ  第２実施形態に係るケースカバー
４０Ｖ１、４０Ｖ２、４０Ｖ３  第１邪魔板
４０Ｒ１、４０Ｒ２、４０Ｒ３  第２邪魔板
４０Ｌ  ケースカバー側インタロックコネクタ
５１、５２、５３  相手側コネクタ（メス側高圧コネクタ）
５１Ｒ、５２Ｒ、５３Ｒ  コネクタロック部
【図２】
0005919081.tif 000002
【図３】
0005919081.tif 000003
【図４】
0005919081.tif 000004
【図５】
0005919081.tif 000005
【図６】
0005919081.tif 000006
【図７】
0005919081.tif 000007
【図８】
0005919081.tif 000008
【図９】
0005919081.tif 000009
【図１０】
0005919081.tif 000010
【図１１】
0005919081.tif 000011
【図１２】
0005919081.tif 000012
【図１３】
0005919081.tif 000013
【図１４】
0005919081.tif 000014
【図１】
0005919081.tif 000015